【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】  インターネット／ネットワーク・テレフォニーのための電子携帯通信端末（１００；２００；２００’；４００；５００）において、
・第１の電気信号に基づいてサウンドを再生し、第２の電気信号となるサウンドを記録するように構成されたオーディオ手段（１０１）と、
・前記第２の電気信号を、適切なデータ形式でサウンドを表す送信データに変換し、前記適切なデータ形式で受信したサウンドを表す受信データを前記第１の電気信号に変換するように構成された変換手段（１０２）と、
・前機変換手段（１０２）に接続されており、標準的なインターネット／ネットワーク・プロトコルに従って前記受信データおよび送信データの通信を扱い、制御するように構成されたプロトコル手段（１０３）であって、それによって前記送信データおよび受信データを前記標準的なインターネット／ネットワーク・プロトコルに従ってそれぞれ第１データ・パケット形式に埋め込み、第１データ・パケット形式から抽出するプロトコル手段（１０３）
とを備える端末であって、該端末がさらに
前記プロトコル手段（１０３）に接続されており、前記第１データ・パケット形式の前記受信データおよび送信データを前記プロトコル手段から／へ受信／送信する無線近距離通信手段（１０４）であって、
前記無線通信手段（１０４）は、前記プロトコル手段（１０３）から受信された前記第１のデータ形式の前記送信データを、無線第２データ形式に埋め込み、又前記第１データ形式の前記受信データを、前記無線第２データ形式から抽出するよう構成されており、
該無線近距離通信手段（１０４）はさらに、前記無線第２データ形式に埋め込まれた前記受信および／または送信データを、前記無線第２データ形式で通信しかつ標準的なインターネット／ネットワーク・プロトコルに従ってネットワークおよび／またはインターネット（２２０）への接続を確立するように構成された接続ユニット（２０２；２０２’；２３０）と、無線近距離通信するように構成されており、無線近距離通信手段（１０４）と接続ユニット（２０２；２０２’；２３０）との間の交換の結果として得られるデータは、前記無線第２データ形式に埋め込まれた前記無線第１データ・パケット形式のパケットを含む、無線近距離通信手段（１０４）とをさらに含む、
ことを特徴とする端末。
【請求項２】  前記標準的なインターネット／ネットワーク・プロトコルはTCP/IPプロトコルであり、前記端末が付加的な情報および／またはデータを前記接続ユニット（２０２；２０２’；２３０）に伝えるように構成されており、前記付加的な情報および／またはデータは、
・通信受信機（２００’；２０２’）のＩＰアドレス
・通信送信機／前記端末（１００；２００’；２００；４００；５００）のＩＰアドレス
・少なくとも１つの接続ユニット（２０２；２０２’；２３０；２４０）のＩＰアドレス
・サービス・サーバ（２１０）のＩＰアドレス
・ＴＣＰ／ＩＰパケット
の１つまたは複数を含むことを特徴とする請求項１に記載の端末。
【請求項３】  前記端末が、付加的な情報および／またはデータを前記接続ユニット（２０２；２０２’；２３０）に伝えるように構成されており、前記付加的な情報および／またはデータは、
・音声メール
・コマーシャル
・音楽
・株式取引及び金融ニュース
・チャット・ライン
・チャット・ルーム
・電話ミーティング
の１つまたは複数を含むことを特徴とする請求項１または２に記載の端末。
【請求項４】  前記端末が、前記接続ユニット（２０２；２０２’；２３０）を介して、前記ネットワークおよび／またはインターネット（２２０）上のサービス・サーバ（２１０）への接続を確立するよう構成されており、それにより所望の通信受信機（１００；２００’；２０２’；２４１；４００；５００）に関する情報が前記サーバ（２１０）に転送可能となり、
前記サーバ（２１０）が、前記所望の通信受信機（１００；２００’；２０２’；２４１；４００；５００）のＩＰアドレスに関する情報を伝え、かつ／または前記所望の通信受信機（１００；２００’；２０２’；２４１；４００；５００）と前記端末（１００；２００；２００’；４００；５００）との間の直接接続を確立するように構成されていることを特徴とする請求項３に記載の端末。
【請求項５】  前記端末が、１つまたは複数のコマンドを識別するために、記録するための前記サウンドおよび／または前記送信データを解析し、解釈するように構成された音声認識手段（１０５）をさらに備えることを特徴とする請求項１乃至４に記載の端末。
【請求項６】  近距離通信用の前記通信手段（１０４）が、
・無線周波数（ＲＦ）通信プロトコル
・BLUETOOTH無線近距離通信プロトコル
・赤外線通信プロトコル、または
・別の無線通信プロトコル
の１つまたは複数の形式で通信するように構成されていることを特徴とする請求項１乃至５に記載の端末。
【請求項７】  前記適切なデータ形式が圧縮データ形式であることを特徴とする請求項１乃至６記載の端末。
【請求項８】  前記端末が、前記記録するためのサウンドをユーザの頬骨および耳道の軟組織を介して取り込む手段を備えるイヤー・テレフォン（４００）であることを特徴とする請求項１乃至７のいずれか１項に記載の端末。
【請求項９】  前記端末が、
・変換手段（１０２）、無線通信手段（１０４）、およびプロトコル手段（１０３）を備える筺体（５０２）、
・前記第１の電気信号に基づいてサウンドを再生するための手段を備える、前記筺体（５０２）に固定されたイヤーピース（５０３）、
・一端で前記筺体（５０２）に固定され、かつ他端に配置された第２の電気信号の形式で送信するためのサウンドを取り込むためのサウンド捕捉ユニット（５０５）に固定されたブレース（５０４）
を備えるヘッドセット（５００）であることを特徴とする請求項１乃至８のいずれか１項に記載の端末。
【請求項１０】  インターネット／ネットワーク・テレフォニーのためのシステムにおいて、
・請求項１乃至９のいずれか１項に記載の携帯通信端末（１００；２００；２００’；４００；５００）、
・無線近距離通信モジュール（２０３；２０３’）に接続され無線第２データ形式で前記形態通信端末と通信するように構成され、さらに通信ネットワークおよび／またはインターネット（２２０）への接続を確立するように構成された接続ユニット、
・インターネットおよび／またはネットワークに接続されているサービス・サーバ（２１０）であって、前記サービス・サーバは潜在的に所望の通信受信機（１００；２００’；２０２’；４００；５００）および／または送信機（１００；２００；２０２；４００；５００）に関する情報を含んでいる１つまたは複数のデータベースを備え、前記サービス・サーバ（２１０）は、所望の通信受信機（１００；２００’；２０２’；４００；５００）のＩＰアドレスに関する情報を伝え、かつ／または前記所望の通信受信機（１００；２００’；２０２’；４００；５００）と通信送信機（１００；２００’；２０２’；４００；５００）との間で直接接続を確立するように構成されたサービス・サーバとを備え、前記携帯通信端末（１００；２００；２００’；４００；５００）はシステム内の通信送信器として又は通信受信器として機能するよう構成されている、
インターネット／ネットワーク・テレフォニーのためのシステム。
【請求項１１】  前記システムが、１つまたは複数のコマンドを識別するためにサウンドを表すデータを解析し解釈するように構成された音声認識手段をさらに備えることを特徴とする請求項１０に記載のシステム。
【請求項１２】  インターネット／ネットワーク・テレフォニーのための方法において、
・オーディオ手段（１０１）により、第１の電気信号に基づいてサウンドを再生し、かつ第２の電気信号となるサウンドを記録するステップ、
・変換手段（１０２）により、前記第２の電気信号を、適切なデータ形式で、サウンドを表す送信データに変換し、前記適切なデータ形式で受信したサウンドを表す受信データを前記第１の電気信号に変換するステップ、
・プロトコル手段（１０３）により、標準的なインターネット／ネットワーク・プロトコルに従って前記受信データおよび送信データの通信を扱い／制御し、前記標準的なインターネット／ネットワーク・プロトコルに従って前記送信データおよび受信データをそれぞれ第１データ・パケット形式に埋め込み、また第１データ・パケット形式から抽出するステップ、
を含む方法であって、さらに、
・無線近距離通信手段（１０４）により、前記第１データ・パケットの前記受信および／または送信データを、前記プロトコル手段（１０３）から／へ、受信／送信し、前記プロトコル手段（１０３）から受信される前記第１データ形式の前記送信データを前記第２データ形式に埋め込み、前記無線第２形式から前記第１データ形式の前記受信データを抽出するステップと、
・前記無線近距離通信手段（１０４）により、前記無線第２データ形式に埋め込まれた前記受信および／または送信データを、前記無線第２データ形式で通信しかつ標準的なインターネット／ネットワーク・プロトコルに従ってネットワークおよび／またはインターネット（２２０）への接続を確立するように構成された接続ユニット（２０３；２０２’；２３０）と無線近距離通信し、無線近距離通信手段（１０４）と接続ユニット（２０２；２０２’；２３０）との間の交換の結果として得られるデータは前記無線第２データ形式に埋め込まれた前記無線第１データ・パケット形式のパケットを含むステップとを
含む方法であることを特徴とする、インターネット／ネットワーク・テレフォニーのための方法。
【請求項１３】  前記標準的なインターネット／ネットワーク・プロトコルはTCP/IPプロトコルであり、該方法は、付加的な情報および／またはデータを前記接続ユニットに伝える方法であって、付加的な情報および／またはデータは、
・通信受信機（２００’；２０２’）のＩＰアドレス
・前記端末（１００；２００’；２００；４００；５００）のＩＰアドレス
・少なくとも１つの接続ユニット（２０２；２０２’；２３０；２４０）のＩＰアドレス
・サービス・サーバ（２１０）のＩＰアドレス
・ＴＣＰ／ＩＰパケット
の１つまたは複数を含むことを特徴とする請求項１１に記載の方法。
【請求項１４】  前記方法が、付加的な情報および／またはデータを前記接続ユニットに伝えるように構成されており、前記付加的な情報および／またはデータは、
・音声メール
・コマーシャル
・音楽
・株式取引及び金融ニュース
・チャット・ライン
・チャット・ルーム
・電話ミーティング
の１つまたは複数を含むことを特徴とする請求項１２及び１３に記載の端末。
【請求項１５】  前記方法は、前記接続ユニットを介して、前記ネットワークおよび／またはインターネット（２２０）上のサービス・サーバ（２１０）への接続を確立するよう構成されており、それにより所望の通信受信機に関する情報が前記サーバ（２１０）に転送可能となり、前記サーバが、前記所望の通信受信機のＩＰアドレスに関する情報を伝え、かつ／または前記所望の通信受信機と前記端末との間の直接接続を確立するように構成されていることを特徴とする請求項１２乃至１４に記載の方法。
【請求項１６】  １つまたは複数のコマンドを識別するために、記録するための前記サウンドおよび／または前記送信データを解析し、解釈するための音声認識をさらに含むことを特徴とする請求項１２乃至１５のいずれか１項に記載の方法。
【請求項１７】  近距離通信用前記通信手段が、
・無線周波数（ＲＦ）通信プロトコル
・BLUETOOTH無線近距離通信プロトコル、
・赤外線通信プロトコル、または
・別の無線通信プロトコル
の１つまたは複数の形式で通信することを特徴とする請求項１２乃至１６のいずれか１項に記載の方法。
【請求項１８】  前記適切なデータ形式は圧縮データ形式であることを特徴とする請求項１２乃至１８のいずれか１項に記載の方法。
【請求項１９】  前記方法が、前記記録するためのサウンドをユーザの頬骨および耳道の軟組織を介して取り込む手段を備えるイヤー・テレフォンで使用されることを特徴とする請求項１２乃至１８のいずれか１項に記載の方法。
【請求項２０】  前記方法が、
・変換手段、無線通信手段、およびプロトコル手段を備える筺体、
・前記第１の電気信号に基づいてサウンドを再生するための手段を備える、前記筺体に固定されたイヤーピース、
・一端で前記筺体に固定され、かつ他端に配置された第２の電気信号の形式で送信するためのサウンドを取り込むためのサウンド捕捉ユニットに固定されたブレース
を備えるヘッドセットで使用されることを特徴とする請求項１２乃至１８のいずれか１項に記載の方法。
【請求項２１】  プログラムが書き込まれたコンピュータ可読媒体であって、前記プログラムは、実行されると、請求項１２乃至２０のいずれか１項に記載の方法を１つまたは複数のコンピュータまたはＣＰＵに実行させるコンピュータ可読媒体。